(57)【要約】【課題】画像形成及び電話・ファクシミリの簡単な操作が可能なコンパクトな複合機の提供。【解決手段】この複合機１０は、コピーその他の画像形成機能及び電話・ファクシミリ機能を備える。複合機１０は、本体装置２０及び分離体２２を備える。分離体２２は、本体装置２０に対して着脱自在である。本体装置２０にリミットスイッチ２３が設けられており、リミットスイッチ２３が分離体２２の着脱を監視する。分離体２２が本体装置２０から取り外されると、電話・ファクシミリ機能における送受話器として機能すると共に、本体装置２０は、画像形成機能の一部に制限を加える。具体的には、コピー機能において、１枚の記録用紙にのみコピーが実行される。このような機能制限は、本体装置２０に搭載された主制御装置２４によって行われる。【選択図】図３
2011077676.tif 000002
【特許請求の範囲】
【請求項１】
少なくとも画像形成機能及び電話・ファクシミリ機能を搭載した複合機であって、
少なくとも画像形成機能を発揮するための本体装置と、
本体装置に設けられ、当該本体装置の上記画像形成機能その他の機能を操作する操作装置と、
操作装置の少なくとも一部が本体装置に対して装着状態であること及び本体装置に対して離脱状態であることを検出する着脱センサと、
本体装置に設けられ、操作装置により入力された情報に基づいて上記画像形成機能その他の機能を制御する主制御装置とを有し、
上記操作装置のうち上記本体装置に対して着脱される部分は、
タッチパネル方式のディスプレイと、
少なくとも当該操作装置により入力された情報及び電話・ファクシミリ機能を実行するためのテンキーを上記タッチパネル方式のディスプレイに表示させる制御部とを備え、
上記主制御装置は、
上記着脱センサが上記離脱状態を検出したときに上記画像形成機能の一部を制限するように構成されている複合機。
【請求項２】
上記着脱センサは、
本体装置に設けられ、当該本体装置に上記操作装置の少なくとも一部が装着されたことを検出するリミットスイッチである請求項１に記載の複合機。
【請求項３】
上記主制御装置は、
上記着脱センサが上記離脱状態を検出したときに記録媒体への複写機能が実行される場合は、単一の記録媒体への複写のみを行うように構成されている請求項１又は２に記載の複合機。
【発明の詳細な説明】
【技術分野】
【０００１】
この発明は、画像形成機能及び電話・ファクシミリ機能を備えた複合機に関するものである。
【背景技術】
【０００２】
画像を読み取って当該画像を複写することにより画像形成ないし画像記録を行う装置が従来から提供されている。また、このような装置に電話・ファクシミリ機能が付加された複合機も従来から提供されている。従来の複合機では、一般に「子機」と称される装置が本体とは別に設けられており、この子機が電話・ファクシミリ機能における送受話装置となっている。この子機は、保持器を介して本体（いわゆる「親機」）の上面または側面に配置される。そのため、複合機の外形形状は、本体から子機が出っ張ったものとなり、複合機が異形に大型化するのみならず、設置スペースの有効利用が困難であるという不都合が従来から指摘されていた。
【０００３】
複合機において、画像形成機能は、本体に設けられた操作パネル上で簡単に制御され得る。ただし、特に電話機能が発揮されるためには、いわゆる「受話器」が必要不可欠である。そのため、従来の複合機では、この受話器を兼ねる子機が本体の近傍に配置されることが常識となっており、上記不都合は、避けられない問題として認識されていた。
【０００４】
ただし、従来の通信端末装置では、本体（キャリングケース）が受話器（ハンドセット）を収容保持するように構成されたものがある（たとえば、特許文献１参照）。この通信端末装置は、受話器が本体に収容されることから、装置全体の外形形状が小型化され得る。
【先行技術文献】
【特許文献】
【０００５】
【特許文献１】特開平６−１９５２８４号公報
【発明の概要】
【発明が解決しようとする課題】
【０００６】
従来の複合機では、画像形成機能と電話・ファクシミリ機能とが別個独立して発揮されるために、本体と子機とが別々に設けられ且つ配置されている。そのために、たとえばテンキーやディスプレイ等は、本体にも子機にも搭載されることが多い。ところが、上記特許文献１が開示するように、複合機において単に本体が子機を保持しあるいは収容するように構成されたとしても、テンキーやディスプレイが重複することもあり、却って複合機の使い勝手が悪くなる。
【０００７】
また、そのような問題が回避されるために、ディスプレイの共用化が例示される。しかし、単にディスプレイが共用されると、たとえば電話中にコピーが実施される場合に、ユーザーはコピー枚数の設定を確認することができず、誤作動が誘発されるという問題が生じる。
【０００８】
本発明はかかる背景のもとになされたものであって、その目的は、コンパクトで設置スペースの有効利用が可能であり、しかもユーザーが画像形成操作及び電話・ファクシミリ操作を簡単に確認しつつ行える複合機を提供することである。
【課題を解決するための手段】
【０００９】
(1) 本発明に係る複合機は、少なくとも画像形成機能及び電話・ファクシミリ機能を搭載した複合機である。この複合機は、少なくとも画像形成機能を発揮するための本体装置と、本体装置に設けられ、当該本体装置の上記画像形成機能その他の機能を操作する操作装置と、操作装置の少なくとも一部が本体装置に対して装着状態であること及び本体装置に対して離脱状態であることを検出する着脱センサと、本体装置に設けられ、操作装置により入力された情報に基づいて上記画像形成機能その他の機能を制御する主制御装置とを有する。上記操作装置のうち上記本体装置に対して着脱される部分は、タッチパネ方式のディスプレイと、少なくとも当該操作装置により入力された情報及び電話・ファクシミリ機能を実行するためのテンキーを上記タッチパネル方式のディスプレイに表示させる制御部とを備える。上記主制御装置は、上記着脱センサが上記離脱状態を検出したときに上記画像形成機能の一部を制限するように構成されている。
【００１０】
この構成によれば、本体装置に対して操作装置の少なくとも一部が着脱自在に設けられており、ユーザーは、この操作装置を本体装置から取り外し、当該操作装置を操作して電話・ファクシミリ機能を実現することができる。すなわち、本体装置から取り外された操作装置は、電話・ファクシミリ機能が発揮される際のいわゆる子機として機能する。この操作装置の本体装置に対する着脱は、着脱センサにより検知され、この操作装置が本体装置から取り外されると、制御部がタッチパネル方式のディスプレイにテンキーを表示させる。ユーザーは、このテンキーを使用して電話・ファクシミリ機能の操作を行うことができる。したがって、この操作装置は、テンキーを備えている必要がないので、操作装置がコンパクトな状態で本体装置に保持される。本体装置に設けられた主制御装置は、画像形成機能（画像読取機能、画像記録機能等）その他の機能を制御し、本体装置は、これらの機能を発揮する。ただし、操作装置が本体装置から取り外されたときは、上記主制御装置は、上記画像形成機能の一部を制限する。この機能制限の態様は様々であって、操作装置が本体装置から取り外されることによって画像形成に誤作動が生じるおそれのある機能が停止され得る。
【００１１】
(2) 上記着脱センサは、本体装置に設けられ、当該本体装置に上記操作装置の少なくとも一部が装着されたことを検出するリミットスイッチであるのが好ましい。この場合は、上記着脱センサが安価に構成されるし、操作装置の着脱が確実に検知される。
【００１２】
(3) 上記主制御装置は、上記着脱センサが上記離脱状態を検出したときに記録媒体への複写機能が実行される場合は、単一の記録媒体への複写のみを行うように構成されているのが好ましい。これにより、誤って無駄なコピーが行われることが防止される。
【発明の効果】
【００１３】
この発明によれば、操作装置が子機としての機能を備えるので、本体装置から取り外された操作装置が電話・ファクシミリ機能を実行する。したがって、コンパクトで設置スペースの有効利用が可能な複合機が提供される。しかも、操作装置が本体装置から取り外されることによって装置本体が本来的に備える画像形成機能が制限されるので、誤って多数枚のコピーが実行される等の不都合が回避され、ユーザーが画像形成操作及び電話・ファクシミリ操作を確認しながら行うことができる。
【図面の簡単な説明】
【００１４】
【図１】図１は、本発明の一実施形態に係る複合機１０の外観斜視図である。
【図２】図２は、複合機１０の制御系統を示すブロック図である。
【図３】図３は、複合機１０においてコピー動作が行われる際のフローチャートである。
【図４】図４は、複合機１０において電話又はファクシミリの受信動作が行われる際のフローチャートである。
【図５】図５は、複合機１０において電話の発信動作が行われる際のフローチャートである。
【図６】図６は、複合機１０においてファクシミリの発信動作が行われる際のフローチャートである。
【発明を実施するための形態】
【００１５】
以下、本発明の好ましい実施形態が、適宜図面が参照されながら説明される。なお、本実施の形態は、本発明に係る複合機の一態様にすぎず、本発明の要旨を変更しない範囲で実施態様が変更されてもよいことは言うまでもない。
【００１６】
図１は、本発明の一実施形態に係る複合機１０の外観斜視図である。
【００１７】
この複合機１０は、本体装置２０と、本体装置２０を操作する操作パネル２１（本発明における「操作装置」の一例）とを備える。本体装置２０の下部にプリンタ部１１が設けられ、本体装置２０の上部にスキャナ部１２が設けられている。すなわち、複合機１０は、これらを一体的に備えた多機能装置（ＭＦＤ：Multi Function Device）であり、プリンタ機能、スキャナ機能及びコピー機能（本発明における「画像形成機能」の一例）のほか、電話・ファクシミリ機能を有する。ただし、本実施形態に係る複合機１０の画像形成機能としては、少なくとも上記コピー機能が装備されていればよい。
【００１８】
複合機１０は、図示されていないコンピュータと接続され得る。この複合機１０は、コンピュータから送信された画像データや文書データに基づいて、記録用紙に画像や文書を記録することができる。また、この複合機１０は、デジタルカメラその他の外部機器と接続され得る。さらに、この複合機１０は、メモリカードその他の各種記録媒体を装着し得る。これにより、複合機１０は、デジタルカメラ等から出力される画像データや記録媒体に記録された画像データ等を記録用紙に記録することも可能である。
【００１９】
複合機１０の下部がプリンタ部１１である。プリンタ部１１は、いわゆるインクジェット方式により画像を記録する。そのため、プリンタ部１１は、微細インク滴を噴射する記録ヘッド１６（図２参照）を搭載している。このようなインクジェット方式を採用するプリンタ部１１の構成は既知であり、したがって、その詳細な説明は省略される。プリンタ部１１の正面に開口１３が形成されており、この開口１３から給紙トレイ１４及び排紙トレイ１５が露出している。給紙トレイ１４に収容された記録用紙がプリンタ部１１の内部へ給送され、記録ヘッド１６（図２参照）により画像が記録された後、排紙トレイ１５へ排出される。
【００２０】
複合機１０の上部がスキャナ部１２である。本実施形態では、スキャナ部１２は、いわゆるフラットベッドスキャナとして構成されている。スキャナ部１２は原稿カバー１７を備えている。原稿カバー１７は、複合機１０の天板として装置本体２０に対して開閉自在に設けられている。原稿カバー１７の下側に、図示されていないプラテンガラス及びイメージセンサが設けられている。画像の読取りが行われる原稿は、プラテンガラス上に載置される。イメージセンサーは、プラテンガラスの下側に配置されており、複合機１０の幅方向にスライドされるようになっている。イメージセンサーは、スライドしつつ原稿を走査する。このようなイメージセンサを搭載するスキャナ部１２の構成は既知であり、したがって、その詳細な説明は省略される。
【００２１】
本体装置２０の正面上部に、上記プリンタ部１１、スキャナ部１２並びに電話・ファクシミリを操作するための操作パネル２１が設けられている。操作パネル２１は各種操作ボタンを有する。また、操作パネル２１は、液晶ディスプレイ１８を備えた分離体２２（本発明における「操作装置の一部」の一例）を備えている。なお、本実施形態では、液晶ディスプレイ１８は、タッチパネル方式が採用されている。ただし、この液晶ディスプレイ１８は、表示面全面がタッチパネルである必要はなく、一部のみがタッチパネルとなっていてもよい。この分離体２２は、本体装置２０に対して着脱自在となっている。本体装置２０は、分離体２２の着脱を検知するリミットスイッチ２３（本発明における「着脱センサ」の一例：図２参照））を備えている。このリミットスイッチ２３は、分離体２２が本体装置２０に取り付けられている状態（装着状態）であるときにＯＮとなり、本体装置２０から取り外されている状態（離脱状態）であるときにＯＦＦとなる。
【００２２】
分離体２２が本体装置２０から取り外されると、分離体２２は、電話・ファクシミリ機能における送受話器として機能する。この分離体２２は、上記液晶ディスプレイ１８のほか通話のためのスピーカー３１及びマイク３２を備えている。なお、本実施形態では、スピーカー３１として圧電スピーカーが採用され、マイク３２としてシリコン（ＭＥＭＳ）マイクが採用されている。したがって、分離体２２が本体装置２０に対して着脱されると、複合機１０から液晶ディスプレイ１８が着脱されることになる。分離体２２は、本体装置２０との間で通信を行うための送受話回路２８及び無線ユニット２９並びにこれらを制御する制御回路３０を備えている。この制御回路３０は、液晶ディスプレイ１８に複合機１０の動作モード、テンキーその他の情報を表示させる。また、制御回路３０は、液晶ディスプレイ１８からの操作指示に基づいて電話・ファクシミリ機能等を制御する。
【００２３】
複合機１０は、主制御装置２４（図２参照）を備えている。主制御装置２４は、操作パネル２１からの操作指示に基づいて後述のようにさまざまな動作を総合的に制御するようになっている。なお、複合機１０がコンピュータに接続されている場合には、そのコンピュータからプリンタドライバを介して送信される指示に基づいも複合機１０が動作する。また、複合機１０の正面の左上部にスロット部１９が設けられている。記録媒体である各種小型メモリカードは、このスロット部１９に装填され得る。小型メモリカードに記録された画像データは、スロット部１９を介して読み出される。この画像データに関する情報は、一旦液晶ディスプレイ１８に表示され、選択的にプリンタ部１１により記録用紙に記録されるようになっている。
【００２４】
装置本体２０は、ファクシミリ機能を実現するためのＮＣＵ（Network Control Unit）２５及びＭＯＤＥＭ２６を備えている。この本体装置２０は、無線ユニット２７を備えており、この無線ユニット２７は、上記分離体２２に内蔵された無線ユニット２９と通信することができるようになっている。
【００２５】
図２は、複合機１０の制御系統を示すブロック図である。
【００２６】
主制御装置２４は、プリンタ部１１、スキャナ部１２、電話・ファクシミリ機能をも含む複合機１０の全体動作を制御する。主制御装置２４は、ＣＰＵ６５、ＲＯＭ６６、ＲＡＭ６７、ＥＥＰＲＯＭ６８を主とするマイクロコンピュータとして構成されており、バス６９を介してＡＳＩＣ（Application Specific Integrated Circuit）７０に接続されている。なお、分離体２２に搭載されている制御回路３０も同様の構成である。すなわち、制御回路３０は、分離体２２が送受話器として機能するための種々の制御を行う。制御回路３０は、ＣＰＵ、ＲＯＭ、ＲＡＭ、ＥＥＰＲＯＭを主とするマイクロコンピュータとして構成され、バスを介してＡＳＩＣに接続されている。
【００２７】
ＲＯＭ６６は、複合機１０の各種動作を制御するためのプログラム等を格納している。ＲＡＭ６７は、ＣＰＵ６５が上記プログラムを実行する際に用いる各種データを一時的に記録する記憶領域又は作業領域として使用される。同様に、分離体２２のＲＯＭは、分離体２２による電話・ファクシミリ動作を制御するためのプログラム等を格納している。分離体２２のＲＡＭは、分離体のＣＰＵが上記プログラムを実行する際に用いる各種データを一時的に記録する記憶領域又は作業領域として使用される。
【００２８】
ＡＳＩＣ７０は、ＣＰＵ６５からの指令に従い、ＬＦ（搬送）モータ７１に通電する相励磁信号等を生成する。この信号は、ＬＦモータ７１の駆動回路７２に付与され、この駆動回路７２を介して駆動信号がＬＦモータ７１に通電される。これにより、ＬＦモータ７１の回転制御が行われる。ＬＦモータ７１は、給紙ローラ８０、搬送ローラ６０、排紙ローラ６２及びパージ機構４８を駆動する。これらを駆動するための駆動伝達系は既知であるので、その説明は省略される。
【００２９】
ＡＳＩＣ７０は、ＣＰＵ６５からの指令に従い、ＣＲ（キャリッジ）モータ７３に通電する相励磁信号等を生成する。この信号は、ＣＲモータ７３の駆動回路７４に付与され、この駆動回路７４を介して駆動信号がＣＲモータ７３に通電される。これにより、ＣＲモータ７３の回転制御が行われる。ＣＲモータ７３は、記録ヘッド１６を保持した走査キャリッジ３８を駆動する。この駆動伝達系も既知であるので、その説明は省略される。
【００３０】
ＡＳＩＣ７０は、ＣＰＵ６５からの指令に従い、記録ヘッド１６を駆動する信号を生成する。この信号は、駆動回路７５に付与され、駆動回路７５は、所定のタイミングで記録ヘッド１６を駆動させ、設定されたタイミングでインクが記録用紙に対して選択的に吐出される。これにより、記録用紙に所定の画像が記録される。なお、記録ヘッド１６の構造も既知であるので、その説明は省略される。
【００３１】
また、ＡＳＩＣ７０には、プリンタ部１１内に形成された搬送路において記録用紙の位置を検出するためのレジストセンサ３３や、記録用紙を搬送する搬送ローラ６０の回転量を検出するためのロータリエンコーダ７６、走査キャリッジ３８の移動量を検出するためのリニアエンコーダ７７、記録用紙の有無を検知するためのメディアセンサ５０が接続されている。メディアセンサ５０の検知信号は、ＡＳＩＣ７０、バス６９を介してＲＡＭ６７に記憶される。この検知信号に基づいて、ＣＰＵ６５がＲＯＭ６６に格納されたプログラムに従って記録用紙の端部を判断する。
【００３２】
さらに、ＡＳＩＣ７０は、ＣＰＵ６５からの指令に従い、スキャナ部１２を駆動する信号を生成する。この信号は、駆動回路７８に付与される。これにより、スキャナ部１２が所定のタイミングで動作し、原稿から画像が読み取られる。スキャナ部１２及びスキャナ部１２を駆動する機構については既知であるので、その説明は省略される。
【００３３】
同様に、分離体２２の制御回路３０についても、ＡＳＩＣは、ＣＰＵからの指令に従い、電話・ファクシミリ動作におけるファクシミリ信号、液晶ディスプレイ１８への画像表示信号、装置本体２０の無線ユニット２７との通信信号等を生成する。そして、これらの各種信号に基づいて、分離体２２は、電話・ファクシミリ機能における送受話器として機能するようになっている。なお、液晶ディスプレイ１８、送受話回路２８、無線ユニット２９及び制御回路３０については既知であるので、その説明は省略される。
【００３４】
上記リミットスイッチ３は、いわゆるメカスイッチであって、前述のように、分離体２２が本体装置２０に装着されていれば「ＯＮ」信号を出力し、取り外されていれば、この信号は「ＯＦＦ」となる。この出力信号はＡＳＩＣ７０を介してＣＰＵ６５に入力される。ＣＰＵ６５は、この出力信号が「ＯＦＦ」であれば、プリンタ部１１におけるコピー機能を制限する信号を出力する。具体的には、このコピー機能制限信号は、駆動回路７５、７４、７２に送られ、その結果、コピーは、単一の記録用紙にのみ行われる。すなわち、分離体２２が本体装置２０から外されていれば、たとえ操作パネル２１から複数枚のコピーの指令が出されていても、コピーは１枚のみ行われる。
【００３５】
図３は、この複合機１０においてコピー動作が行われる際のフローチャートである。
【００３６】
まず、リミットスイッチ２３が「ＯＮ」であるか「ＯＦＦ」であるかが判断される。つまり、分離体２２が本体装置２０から外されているのか、本体装置２０に装着されているのかが判断される（Ｓ１０１）。分離体２２が装着されている場合は（Ｓ１０１において「Ｙ」）、液晶ディスプレイ１８にコピー動作に関する全ての情報が表示される（Ｓ１０２、Ｓ１０３）。すなわち、記録用紙の種類、縮尺、コピー枚数その他のコピー動作に関する情報が液晶ディスプレイ１８に表示される。ユーザーは、液晶ディスプレイ１８を操作することにより、コピーモードを選択する（Ｓ１０４）。これにより、選択されたコピーモードにしたがってコピーが開始され（Ｓ１０５）、記録用紙への印刷が行われる（Ｓ１０６）。
【００３７】
分離体２２が本体装置２０から取り外されている場合は（Ｓ１０１において「Ｎ」）、液晶ディスプレイ１８にコピー動作に関する一部の情報が表示されない（Ｓ１０７）。すなわち、コピー動作に一定の制限が加えられる（Ｓ１０８）。たとえば、コピー動作に関しては、「コピー開始」の文字ないし記号のみが液晶ディスプレイ１８に表示される（Ｓ１０９）。そこで、ユーザーがコピー動作を選択した場合には（Ｓ１１０）、原稿のコピーは、１枚のみ行われ（Ｓ１１１）、記録用紙への印刷が行われる（Ｓ１１２）。
【００３８】
図４は、この複合機１０において電話又はファクシミリの受信動作が行われる際のフローチャートである。
【００３９】
電話あるいはファクシミリが受信されたかどうかが判断される（Ｓ２０１）。受信されたのであれば（Ｓ２０１において「Ｙ」）、次に、その信号は、電話であるのかファクシミリであるのかが判断される（Ｓ２０２）。受信された信号がファクシミリであるならば（Ｓ２０２において「Ｎ」）、当該ファクシミリ信号がファクシミリデータとして受信される（Ｓ２０３）。このとき、当該ファクシミリデータは、無線ユニット２７、２９（図２参照）を介して本体装置２０側に送信される。このファクシミリデータは、本体装置２０に設けられたメモリーに保管されてもよいし、プリンタ部１１によって直ちに印刷されてもよい。
【００４０】
また、受信された信号が電話である場合には（Ｓ２０２において「Ｙ」）、リミットスイッチ１８が「ＯＮ」であるかどうかが判断される（Ｓ２０４）。つまり、分離体２２が本体装置２０から取り外されているかどうかが判断される。分離体２２が本体装置２０に装着されているのであれば、（Ｓ２０４において「Ｙ」：Ｓ２０５）、そのままでは受信不可能である。ユーザーは、分離体２２を本体装置２０から取り外す（Ｓ２０６）。これにより、分離体２２の液晶ディスプレイ１８に、通話ボタン及び通話終了ボタンが表示される（Ｓ２０７）。この通話ボタンの表示は、上記制御回路３０によって行われる。ユーザーは、この通話ボタンを操作することによって電話を受信し、通話可能となる（Ｓ２０８、Ｓ２０９）。通話が終了すれば、ユーザーは、通話終了ボタンを操作し、（Ｓ２１０）。通話を終了する（Ｓ２１１）。一方、分離体２２が本体装置２０から取り外されているのであれば（Ｓ２０４において「Ｎ」：Ｓ２１２）、電話が受信されたときにはすでに液晶ディスプレイ１８に通話ボタン及び通話終了ボタンが表示されている（Ｓ２０７）。したがって、ユーザーは、通話ボタンを操作して通話を開始し、通話終了ボタンを操作することによって通話を終了させることができる（Ｓ２０８〜Ｓ２１１）。
【００４１】
図５は、この複合機１０において電話の発信動作が行われる際のフローチャートである。
【００４２】
まず、リミットスイッチ２３が「ＯＮ」であるか「ＯＦＦ」であるかが判断される。つまり、分離体２２が本体装置２０から外されているのか、本体装置２０に装着されているのかが判断される（Ｓ３０１）。分離体２２が本体装置２０に装着されているのであれば（Ｓ３０１において「Ｙ」）、液晶ディスプレイ１８に電話機能ボタンは表示されない（Ｓ３０２）。つまり、分離体２２が本体装置２０に装着されているときは、電話を架けることができない。
【００４３】
分離体２２が本体装置２０から外されているのであれば、前述のように液晶ディスプレイ１８に通話ボタンのほかテンキー等の電話機能ボタンが表示される（Ｓ３０３）。この表示も上記制御回路３０によって行われる。ユーザーは、通話ボタンを操作して電話機能を選択し（Ｓ３０４）、テンキーを操作して相手方電話番号を入力する（Ｓ３０５）。制御回路３０は、入力された電話番号に基づいて発信し（Ｓ３０６）、相手方が受信すると通話が開始される（Ｓ３０７）。通話が終了すれば、ユーザーが通話終了ボタンを操作し（Ｓ３０８）、通話が終了される（Ｓ３０９）。その後、再びリミットスイッチ２３が「ＯＮ」であるか「ＯＦＦ」であるかが判断される（Ｓ３１０）。つまり、分離体２２が本体装置２０に戻されたのかどうかが判断される。ユーザーが分離体２２を本体装置２０に装着したのであれば（Ｓ３１０において「Ｙ」）、液晶ディスプレイ１８から電話機能についての表示が消える（Ｓ３０２）。もし、分離体２２が本体装置２０に戻されていないのであれば（Ｓ３１０において「Ｎ」）、その状態が一定時間以上経過しているのかどうかが判断される（Ｓ３１１）。そして、通話終了後、一定時間以上経過した場合は（Ｓ３１１において「Ｙ」）、分離体２２の液晶ディスプレイ１８の表示がＯＦＦとなる（Ｓ３１２）。
【００４４】
図６は、この複合機１０においてファクシミリの発信動作が行われる際のフローチャートである。
【００４５】
まず、リミットスイッチ２３が「ＯＮ」であるか「ＯＦＦ」であるかが判断される。つまり、分離体２２が本体装置２０から外されているのか、本体装置２０に装着されているのかが判断される（Ｓ４０１）。分離体２２が本体装置２０から取り外されているのであれば（Ｓ４０１において「Ｎ」）、ファクシミリ機能が制限を受け、ファクシミリの送信は不可能となる（Ｓ４０２）。このファクシミリ機能の制限は、たとえば液晶ディスプレイ１８にファクシミリ送信のボタンを表示させないことにより実現される。このような機能制限は、上記制御回路３０によって行われる。
【００４６】
また、分離体２２が本体装置２０に装着されているのであれば（Ｓ４０１において「Ｙ」）、液晶ディスプレイ１８にファクシミリ送信ボタンのほかテンキー等のファクシミリ機能ボタンが表示される（Ｓ４０３）。この表示も上記制御回路３０によって行われる。ユーザーは、ファクシミリ送信ボタンを操作してファクシミリ機能を選択し（Ｓ４０４）、テンキーを操作して相手方ファクシミリ番号を入力する（Ｓ４０５）。制御回路３０は、入力されたファクシミリ番号に基づいて発信し（Ｓ４０６）、相手方が受信するとファクシミリ送信が完了する（Ｓ４０７）。その後、一定時間以上経過しているのかどうかが判断される（Ｓ４０８）。そして、ファクシミリ終了後、一定時間以上経過した場合は（Ｓ４０８において「Ｙ」）、分離体２２の液晶ディスプレイ１８の表示がＯＦＦとなる（Ｓ４０９）。
【００４７】
本実施形態に係る複合機１０によれば、ユーザーが分離体２２を本体装置２０から取り外すことにより、この分離体２２を送受話器として電話・ファクシミリを操作することができる。つまり、分離体２２は、いわゆる子機として機能し、電話・ファクシミリ機能が実現される。また、この分離体２２の着脱は着脱センサにより検知されるものであり、分離体２２が本体装置２０から取り外されると、制御回路３０が液晶ディスプレイ１８にテンキーを表示させる。ユーザーは、このテンキーを使用して電話・ファクシミリ機能の操作を行うことができる。したがって、分離体２２は当初からテンキーを備えている必要がないので、分離体２２が軽量コンパクトな装置として構成され得る。その結果、複合機１０がコンパクトになり、設置スペースの有効利用が可能となる。
【００４８】
本体装置２０に設けられた主制御装置２４は、コピー機能その他の画像形成機能を制御し、本体装置２０は、これらの機能を発揮する。ただし、分離体２２が本体装置２０から取り外されたときは、主制御装置２４は、上記画像形成機能の一部が制限される。本実施形態では、画像形成機能に制限が加えられた結果、コピー機能においては、単一の記録用紙にのみ印刷が行われる。分離体２２が取り外されることによって本体装置２０を操作してコピーを行うユーザーは、ディスプレイ上でコピー枚数を確認することができなくなるが、本体装置２０に前述のような機能制限が加えられることにより、誤って多数枚のコピーが実行される等の不都合が回避される。なお、本実施形態では、本体装置２０の機能制限としてコピー枚数が例示されているが、この機能制限の態様は様々であって、分離体２２が本体装置２０から取り外されることによって画像形成に誤作動が生じるおそれのある機能が停止され得る。
【００４９】
また、本実施形態では、分離体２２の着脱を検知するセンサーとしてリミットスイッチ２３が採用されている。このリミットスイッチ２３は既知の構成であり、本体装置２０に組み込まれる。このようにリミットスイッチ２３が採用されることにより、分離体２２の着脱を検知するセンサーが安価に構成される。
【符号の説明】
【００５０】
１０・・・複合機
１８・・・液晶ディスプレイ
２０・・・本体装置
２１・・・操作パネル
２２・・・分離体
２３・・・リミットスイッチ
２４・・・主制御装置
２５・・・ＮＣＵ
２６・・・ＭＯＤＥＭ
２７・・・無線ユニット
２８・・・送受話回路
２９・・・無線ユニット
３０・・・制御回路
【図１】
2011077676.tif 000003
【図２】
2011077676.tif 000004
【図３】
2011077676.tif 000005
【図４】
2011077676.tif 000006
【図５】
2011077676.tif 000007
【図６】
2011077676.tif 000008